(57)【要約】【課題】マルチフォーマットのデジタルコンテンツに対応した暗号化・復号化機能をＵＩＭカードに実装し、ダイナミックな利用者の属性情報と関連付けられたコンテンツ、広告の視聴調査を実現するコンテンツ配信システム等を提供する。【解決手段】携帯型端末１０７は、コンテンツサーバ１０１から配信され、暗号化装置１０３を介して、暗号化された暗号化デジタルコンテンツデータ１１１を受信し、ＵＩＭカードに実装した暗号化・復号化手段１２３により復号化し再生し、視聴データ測定手段１２４により所定時間間隔で視聴データに契約者の属性情報公開レベルを付加して暗号化装置１０３に送信する。暗号化装置１０３は、視聴情報集計手段１３２により受信した視聴データを蓄積し、広告／コンテンツ情報の要素に一致する視聴情報を基に、視聴率を算出し視聴傾向等を分析する。【選択図】図１
2007202054.tif 000002
【特許請求の範囲】
【請求項１】
デジタルコンテンツデータを配信する少なくとも１つのコンテンツサーバと、前記コンテンツサーバから配信される異種フォーマットのデジタルコンテンツデータを暗号化する暗号化装置と、にネットワークを介して接続され、配信されたデジタルコンテンツデータを再生するＵＩＭ（Ｕｓｅｒ
Ｉｄｅｎｔｉｔｙ Ｍｏｄｕｌｅ）カードを備える携帯型端末であって、
前記コンテンツサーバへ利用要求を送信し、前記コンテンツサーバから受け取った前記デジタルコンテンツデータの配信を受ける旨の契約内容に応じた契約者の属性情報公開レベルを前記ＵＩＭカードに記憶する利用要求手段と、
前記コンテンツサーバから配信され、前記暗号化装置を介して、暗号化されたデジタルコンテンツデータを受信するコンテンツ受信手段と、
受信した暗号化されたデジタルコンテンツデータを復号化する復号化手段と、
復号化されたデジタルコンテンツデータを再生する再生手段と、
所定時間間隔に、前記再生手段により再生されるデジタルコンテンツデータの視聴状況を示す視聴情報に前記契約者の属性情報公開レベルを付加して前記暗号化装置に送信する視聴情報測定手段と、
を具備することを特徴とするＵＩＭカードを備える携帯型端末。
【請求項２】
予め、正当使用者／端末を特定するための認証情報を記憶し、
前記利用要求手段は、前記コンテンツサーバから受け取った前記デジタルコンテンツデータの配信を受ける旨の契約内容に応じた契約利用情報を記憶し、
受信した暗号化されたデジタルコンテンツデータ対して、前記契約利用情報と前記認証情報に基づき、契約端末の認証を行う認証手段と、
を、更に備え、
前記認証手段により認証される場合、前記復号化手段を実行することを特徴とする請求項１記載のＵＩＭカードを備える携帯型端末。
【請求項３】
前記契約利用情報は、契約情報に応じた利用期間、受信許可を表す情報の少なくともいずれか１つを有することを特徴とする請求項２記載のＵＩＭカードを備える携帯型端末。
【請求項４】
更に、ネットワークを介して、他のコンテンツ受信機器と接続され、
正当使用者／端末を特定するための認証情報と、
映像、画像、音声いずれかのデジタルコンテンツデータを入力する入力手段と、
入力したデジタルコンテンツデータを暗号化し、前記認証情報を付加した暗号化されたデジタルコンテンツデータを生成する暗号化手段と、
暗号化されたデジタルコンテンツデータを前記コンテンツ受信機器に送信するコンテンツ送信手段と、
を、更に具備することを特徴とする請求項１記載のＵＩＭカードを備える携帯型端末。
【請求項５】
前記コンテンツ受信機器は、パーソナルコンピュータ、前記携帯型端末、セットトップボックス、車載端末のいずれかであることを特徴とする請求項４記載のＵＩＭカードを備える携帯型端末。
【請求項６】
前記視聴情報は、当該携帯型端末の識別情報、現在の時刻情報、視聴しているか否かを表す視聴状況情報、前記契約者の属性情報公開レベルを有することを特徴とする請求項１記載のＵＩＭカードを備える携帯型端末。
【請求項７】
前記契約者の属性情報公開レベルは、配信サービスに応じた契約者の属性情報の公開範囲の属性情報であることを特徴とする請求項１から請求項６いずれかに記載のＵＩＭカードを備える携帯型端末。
【請求項８】
前記デジタルコンテンツデータは、ストリーミングデータであることを特徴とする請求項１から請求項７いずれかに記載のＵＩＭカードを備える携帯型端末。
【請求項９】
デジタルコンテンツデータを配信する少なくとも１つのコンテンツサーバと、受信し再生されたデジタルコンテンツの視聴情報を暗号化装置に送信する少なくとも１つの携帯型端末と、にネットワークを介して接続される暗号化装置であって、
前記コンテンツサーバから受信した異種フォーマットのデジタルコンテンツデータを暗号化し、送出する暗号化手段と、
前記携帯型端末から受信した契約者の属性情報公開レベルを付加した視聴情報を蓄積し、前記視聴情報と前記契約者の属性情報公開レベルに基づいて、前記デジタルコンテンツデータ、及び／又は前記デジタルコンテンツデータと共に配信する広告に関する視聴情報を集計する視聴情報集計手段と、
を具備することを特徴とする暗号化装置。
【請求項１０】
前記視聴情報は、前記携帯型端末の識別情報、現在の時刻情報、視聴しているか否かを表す視聴状況情報を有することを特徴とする請求項９記載の暗号化装置。
【請求項１１】
前記視聴情報集計手段は、
前記広告を掲載するデジタルコンテンツデータの識別情報と広告配信時刻情報を有する広告情報と、デジタルコンテンツデータの識別情報とコンテンツ配信時刻情報を有するコンテンツ情報と、を記憶するデータベースと、
集計対象となる広告情報／コンテンツ情報の条件の要素に一致する視聴情報を抽出し、抽出された視聴情報と契約者の属性情報公開レベルに基づいて、視聴率の算出、及び属性情報に応じた視聴傾向の分析を行う視聴分析手段と、
視聴分析結果を、前記コンテンツサーバに送信する送信手段と、
を、更に具備することを特徴とする請求項９記載の暗号化装置。
【請求項１２】
デジタルコンテンツデータを配信する少なくとも１つのコンテンツサーバと、前記少なくとも１つのコンテンツサーバから配信される異種フォーマットのデジタルコンテンツデータを暗号化する暗号化装置と、配信されたデジタルコンテンツデータを再生する少なくとも１つのＵＩＭカードを備える携帯型端末と、がネットワークを介して接続されるコンテンツ配信システムであって、
前記携帯型端末は、
前記コンテンツサーバへ利用要求を送信し、前記コンテンツサーバから受け取った前記デジタルコンテンツデータの配信を受ける旨の契約内容に応じた契約者の属性情報公開レベルを前記ＵＩＭカードに記憶する利用要求手段と、
前記コンテンツサーバから配信され、前記暗号化装置を介して、暗号化されたデジタルコンテンツデータを受信するコンテンツ受信手段と、
受信した暗号化されたデジタルコンテンツデータを復号化する復号化手段と、
復号化されたデジタルコンテンツデータを再生する再生手段と、
所定時間間隔に、前記再生手段により再生されるデジタルコンテンツデータの視聴状況を示す視聴情報に契約者の属性情報公開レベルを付加して前記暗号化装置に送信する視聴情報測定手段と、
を備え、
前記暗号化装置は、
前記コンテンツサーバから受信した異種フォーマットのデジタルコンテンツデータを暗号化し、送出する暗号化手段と、
前記携帯型端末から受信した契約者の属性情報公開レベルを付加した視聴情報を蓄積し、前記視聴情報と前記契約者の属性情報公開レベルに基づいて、前記デジタルコンテンツデータ、及び／又は前記デジタルコンテンツデータと共に配信する広告に関する視聴情報を集計する視聴情報集計手段と、
を具備することを特徴とするコンテンツ配信システム。
【請求項１３】
前記コンテンツサーバは、
前記携帯型端末からの利用要求に対して、契約登録を行い、デジタルコンテンツデータの配信サービスを受ける旨の契約内容に応じた契約利用情報、及び契約者の属性情報公開レベルを、前記携帯型端末に送信する契約登録手段、
を、更に具備することを特徴とする請求項１２記載のコンテンツ配信システム。
【請求項１４】
デジタルコンテンツデータを配信する少なくとも１つのコンテンツサーバと、前記コンテンツサーバから配信される異種フォーマットのデジタルコンテンツデータを暗号化する暗号化装置と、にネットワークを介して接続され、配信されたデジタルコンテンツデータを再生する携帯型端末に備えられるＵＩＭカードであって、
正当使用者／端末を特定するための認証情報と、
前記デジタルコンテンツデータの配信を受ける旨の契約内容に応じた契約利用情報と、
前記デジタルコンテンツデータの配信を受ける旨の契約内容に応じた契約者の属性情報公開レベルと、
前記コンテンツサーバから配信された暗号化されたデジタルコンテンツデータ対して、前記契約利用情報と前記認証情報に基づき、契約端末の認証を行う認証手段と、
前記携帯型端末から受け取った暗号化されたデジタルコンテンツデータを復号化する復号化手段と、
前記携帯型端末から受け取ったデジタルコンテンツデータを暗号化し、前記認証情報を付加した暗号化されたデジタルコンテンツデータを生成する暗号化手段と、
所定時間間隔に、再生されるデジタルコンテンツデータの視聴状況を示す視聴情報に前記契約者の属性情報公開レベルを付加して前記携帯型端末本体に送る視聴情報測定手段と、
を具備することを特徴とするＵＩＭカード。
【請求項１５】
コンピュータを請求項１から請求項８いずれかに記載のＵＩＭカードを備える携帯型端末として機能させるプログラム。
【請求項１６】
コンピュータを請求項１から請求項８いずれかに記載のＵＩＭカードを備える携帯型端末として機能させるプログラムを記録した記録媒体。
【請求項１７】
コンピュータを請求項９から請求項１１のいずれかに記載の暗号化装置として機能させるプログラム。
【請求項１８】
コンピュータを請求項９から請求項１１のいずれかに記載の暗号化装置として機能させるプログラムを記録した記録媒体。
【発明の詳細な説明】
【技術分野】
【０００１】
本発明は、ネットワークを介して、映像、音楽等のマルチメディアコンテンツを配信するコンテンツ配信システムに係り、特に、配信するデジタルコンテンツの視聴率調査を実現とするＵＩＭ（Ｕｓｅｒ
Ｉｄｅｎｔｉｔｙ Ｍｏｄｕｌｅ）カードを備える携帯型端末に関する。
【背景技術】
【０００２】
近年、衛星放送やケーブルＴＶ等の放送や、インターネット等に代表されるネットワークを介して、映像、音楽等のマルチメディアコンテンツを配信するコンテンツ配信システムが多数存在する。例えば、ネットワークを通じて映像や音声などのマルチメディアデータを視聴する際に、データを受信しながら同時に再生を行なう「ストリーミング配信」が知られている。このようなストリーミング配信を用いて、映像、音楽等のデジタルコンテンツデータを提供するコンテンツ配信システムが開示されている（例えば、特許文献１参照）。
【０００３】
また、従来から、ラジオ番組やテレビ番組放送では、番組の時間当たりの視聴率調査が行われている。広告が放映される番組では、番組スポンサーである企業等の広告主にとっては、視聴率は、宣伝効果に対する判断基準となっている。例えば、視聴率調査センタと、オンライン端末と、視聴率測定器と、テレビとからなる、テレビの視聴率データを視聴率測定器から、オンライン端末を経由して、視聴率調査センタに送信し、データを収集し視聴率を集計するテレビ視聴率調査システムが存在する。更に、インターネット等の通信ネットワークを介して配信される番組の視聴率を調査する視聴率調査装置が存在する（例えば、特許文献２参照）。
【０００４】
【特許文献１】特開２００１−４３４４０号公報
【特許文献２】特開２００２−３２４０２５公報
【発明の開示】
【発明が解決しようとする課題】
【０００５】
しかしながら、従来のコンテンツ配信システムでは、ネットワークを通じて映像や音声などのマルチメディアのコンテンツデータを配信する際、掲載する広告の視聴率は把握できず、広告が掲載されたコンテンツの宣伝効果を正確に判断するようなことは困難であるという問題があった。
また、複数のコンテンツ配信サーバから、ネットワークを介して、各種コンテンツデータを配信させるシステムでは、視聴率調査を行う場合、新たに、受信機器からの視聴データを収集、集計する視聴率集計装置が必要であり、装置の設置、管理にコストがかかるという問題があった。
更に、従来のコンテンツ配信側からの一方的な調査手法・技術では、事前に登録された利用者(契約者)の属性情報（氏名、年齢、住所等）に関連付けた視聴結果は時間軸で可能であったが、コンテンツ配信による利用者(契約者)の属性情報に関連付けた視聴状況の変化をリアルタイムに調査することはできなかった。
【０００６】
本発明は、以上の点に鑑みてなされたものであり、マルチフォーマットのデジタルコンテンツに対応した暗号化・復号化機能をＵＩＭカードに実装し、ダイナミックな利用者の属性情報と関連付けられたコンテンツ、広告の視聴分析機能を実現するコンテンツ配信システム等を提供することを目的とする。
【課題を解決するための手段】
【０００７】
前述した目的を達成するために第１の発明は、デジタルコンテンツデータを配信する少なくとも１つのコンテンツサーバと、前記コンテンツサーバから配信される異種フォーマットのデジタルコンテンツデータを暗号化する暗号化装置と、にネットワークを介して接続され、配信されたデジタルコンテンツデータを再生するＵＩＭ（Ｕｓｅｒ
Ｉｄｅｎｔｉｔｙ Ｍｏｄｕｌｅ）カードを備える携帯型端末であって、前記コンテンツサーバへ利用要求を送信し、前記コンテンツサーバから受け取った前記デジタルコンテンツデータの配信を受ける旨の契約内容に応じた契約者の属性情報公開レベルを前記ＵＩＭカードに記憶する利用要求手段と、前記コンテンツサーバから配信され、前記暗号化装置を介して、暗号化されたデジタルコンテンツデータを受信するコンテンツ受信手段と、受信した暗号化されたデジタルコンテンツデータを復号化する復号化手段と、復号化されたデジタルコンテンツデータを再生する再生手段と、所定時間間隔に、前記再生手段により再生されるデジタルコンテンツデータの視聴状況を示す前記視聴情報に前記契約者の属性情報公開レベルを付加して前記暗号化装置に送信する視聴情報測定手段と、を具備することを特徴とするＵＩＭカードを備える携帯型端末である。
【０００８】
また、予め、正当使用者／端末を特定するための認証情報を記憶し、前記利用要求手段は、前記コンテンツサーバから受け取った前記デジタルコンテンツデータの配信を受ける旨の契約内容に応じた契約利用情報を記憶し、受信した暗号化されたデジタルコンテンツデータ対して、前記契約利用情報と前記認証情報に基づき、契約端末の認証を行う認証手段と、を更に備え、前記認証手段により認証される場合、前記復号化手段を実行することを特徴とする請求項１記載のＵＩＭカードを備える携帯型端末ことが望ましい。
また、更に、ネットワークを介して、他のコンテンツ受信機器と接続され、正当使用者／端末を特定するための認証情報と、映像、画像、音声いずれかのデジタルコンテンツデータを入力する入力手段と、入力したデジタルコンテンツデータを暗号化し、前記認証情報を付加した暗号化されたデジタルコンテンツデータを生成する暗号化手段と、暗号化されたデジタルコンテンツデータを前記コンテンツ受信機器に送信するコンテンツ送信手段と、を更に具備することが望ましい。
【０００９】
第１の発明によるＵＩＭカードを備える携帯型端末は、コンテンツサーバへ利用要求を送信し、コンテンツサーバから受け取ったデジタルコンテンツデータの配信を受ける旨の契約内容に応じた契約者の属性情報公開レベルをＵＩＭカードに記憶する。コンテンツサーバから配信され、暗号化装置を介して、暗号化されたデジタルコンテンツデータを受信し、受信した暗号化されたデジタルコンテンツデータを復号化し、復号化されたデジタルコンテンツデータを再生する、所定時間間隔に、再生されるデジタルコンテンツデータの視聴状況を示す視聴情報に契約者の属性情報公開レベルを付加して暗号化装置に送信する。
【００１０】
「デジタルコンテンツデータ」は、映像、音声等のマルチメディアデータであり、例えば、ストリーミング方式を用いたストリーミングデータである。
「ＵＩＭカード」は、欧州ＧＳＭ方式携帯電話に使われているＳＩＭカードをベースに発展させた、携帯電話などに差し込んで使うＩＣカードの総称であり、1５×２５×０．８ｍｍの小型ＩＣカード「ＵＳＩＭ(Ｕｎｉｖｅｒｓａｌ Ｓｕｂｓｃｒｉｂｅｒ ｉｄｅｎｔｉｔｙ Ｍｏｄｕｌｅ)カード」の別称としても使うことがある。本発明に使用する「ＵＩＭカード」は、ＵＩＭカード、ＳＩＭカード、ＵＳＩＭカードを総称したものである。
「認証情報」は、正当使用者／端末を特定するための情報であり、携帯型端末の識別情報やＵＩＭカードに記憶された契約者識別情報等である。
「契約利用情報は」、契約内容に応じた利用期間、受信許可を表す情報であり、ＵＩＭカードに記憶される。
「視聴情報」は、携帯型端末の識別情報、現在の時刻情報、視聴しているか否かを表す視聴状況情報、公開レベルの契約者の属性情報等である。
「広告情報」は、広告識別情報、広告を掲載するデジタルコンテンツデータの識別情報と、広告配信時刻情報等を有する。
「契約者の属性情報公開レベル」は、配信サービスに応じた契約者の属性情報１０の公開範囲の属性情報であり、個人の合意に基づき、個人と取引者／サービス提供者との個々の契約にてその公開（開示）レベルを特定している。
【００１１】
第１の発明では、ネットワークを通じて映像や音声などのマルチメディアのコンテンツ配信において、コンテンツ（例えば試写・試聴コンテンツ）や掲載する広告の視聴状況、視聴傾向が提供でき、有効且つリアルタイムな視聴率調査が可能となり、広告効果を高めることができる。
また、暗号化装置１０３で視聴率集計処理を実行することにより、既存のシステム構成で視聴率調査を行うことを可能とし、新たに、受信機器からの視聴データを収集、集計する視聴率集計装置を設置する必要がなく、視聴率調査にかかるコスト負荷が軽減される。
【００１２】
第２の発明は、デジタルコンテンツデータを配信する少なくとも１つのコンテンツサーバと、受信し再生されたデジタルコンテンツの視聴情報を暗号化装置に送信する少なくとも１つの携帯型端末と、にネットワークを介して接続される暗号化装置であって、前記コンテンツサーバから受信した異種フォーマットのデジタルコンテンツデータを暗号化し、送出する暗号化手段と、前記携帯型端末から受信した契約者の属性情報公開レベルを付加した視聴情報を蓄積し、前記視聴情報と前記契約者の属性情報公開レベルに基づいて、前記デジタルコンテンツデータ、及び／又は前記デジタルコンテンツデータと共に配信する広告に関する視聴情報を集計する視聴情報集計手段と、を具備することを特徴とする暗号化装置である。
【００１３】
第２の発明による暗号化装置は、コンテンツサーバから受信した異種フォーマットのデジタルコンテンツデータを暗号化し、送出し、携帯型端末から受信した契約者の属性情報公開レベルを付加した視聴情報を蓄積し、視聴情報と契約者の属性情報公開レベルに基づいて、デジタルコンテンツデータ、及び／又はデジタルコンテンツデータと共に配信する広告に関する視聴情報を集計する。
【００１４】
第３の発明は、デジタルコンテンツデータを配信する少なくとも１つのコンテンツサーバと、前記コンテンツサーバから配信される異種フォーマットのデジタルコンテンツデータを暗号化する暗号化装置と、配信されたデジタルコンテンツデータを再生する少なくとも１つのＵＩＭカードを備える携帯型端末と、がネットワークを介して接続されるコンテンツ配信システムであって、前記携帯型端末は、前記コンテンツサーバへ利用要求を送信し、前記コンテンツサーバから受け取った前記デジタルコンテンツデータの配信を受ける旨の契約内容に応じた契約者の属性情報公開レベルを前記ＵＩＭカードに記憶する利用要求手段と、前記コンテンツサーバから配信され、前記暗号化装置を介して、暗号化されたデジタルコンテンツデータを受信するコンテンツ受信手段と、受信した暗号化されたデジタルコンテンツデータを復号化する復号化手段と、復号化されたデジタルコンテンツデータを再生する再生手段と、所定時間間隔に、前記再生手段により再生されるデジタルコンテンツデータの視聴状況を示す前記視聴情報に契約者の属性情報公開レベルを付加して前記暗号化装置に送信する視聴情報測定手段と、を備え、前記暗号化装置は、前記コンテンツサーバから受信した異種フォーマットのデジタルコンテンツデータを暗号化し、送出する暗号化手段と、前記携帯型端末から受信した契約者の属性情報公開レベルを付加した視聴情報を蓄積し、前記視聴情報と前記契約者の属性情報公開レベルに基づいて、前記デジタルコンテンツデータ、及び／又は前記デジタルコンテンツデータと共に配信する広告に関する視聴情報を集計する視聴情報集計手段と、を具備することを特徴とするコンテンツ配信システムである。
【００１５】
第３の発明は、第１の発明のＵＩＭカードを備える携帯型端末と、第２の発明の暗号化装置と、デジタルコンテンツデータを配信するコンテンツサーバから構成されるコンテンツ配信システムに関する発明である。
【００１６】
第４の発明は、デジタルコンテンツデータを配信する少なくとも１つのコンテンツサーバと、前記コンテンツサーバから配信される異種フォーマットのデジタルコンテンツデータを暗号化する暗号化装置と、にネットワークを介して接続され、配信されたデジタルコンテンツデータを再生する携帯型端末に備えられるＵＩＭカードであって、正当使用者／端末を特定するための認証情報と、前記デジタルコンテンツデータの配信を受ける旨の契約内容に応じた契約利用情報と、前記デジタルコンテンツデータの配信を受ける旨の契約内容に応じた契約者の属性情報公開レベルと、前記コンテンツサーバから配信された暗号化されたデジタルコンテンツデータ対して、前記契約利用情報と前記認証情報に基づき、契約端末の認証を行う認証手段と、前記携帯型端末から受け取った暗号化されたデジタルコンテンツデータを復号化する復号化手段と、前記携帯型端末から受け取ったデジタルコンテンツデータを暗号化し、前記認証情報を付加した暗号化されたデジタルコンテンツデータを生成する暗号化手段と、所定時間間隔に、再生されるデジタルコンテンツデータの視聴状況を示す視聴情報に前記契約者の属性情報公開レベルを付加して前記携帯型端末本体に送る視聴情報測定手段と、を具備することを特徴とするＵＩＭカードである。
【００１７】
第４の発明によるＵＩＭカードは、正当使用者／端末を特定するための認証情報と、デジタルコンテンツデータの配信を受ける旨の契約内容に応じた契約利用情報と、を記憶し、デジタルコンテンツデータの配信を受ける旨の契約内容に応じた契約者の属性情報公開レベルと、コンテンツサーバから配信された暗号化されたデジタルコンテンツデータ対して、契約利用情報と前記認証情報に基づき、契約端末の認証を行う認証手段と、携帯型端末から受け取った暗号化されたデジタルコンテンツデータを復号化する復号化手段と、携帯型端末から受け取ったデジタルコンテンツデータを暗号化し、認証情報を付加した暗号化されたデジタルコンテンツデータを生成する暗号化手段と、所定時間間隔に、再生されるデジタルコンテンツデータの視聴状況を示す視聴情報に契約者の属性情報公開レベルを付加して前記携帯型端末本体に送る視聴情報測定手段と、を備える。
【００１８】
第５の発明は、コンピュータを第１の発明のＵＩＭカードを供える携帯型端末として機能させるプログラムである。
第６の発明は、コンピュータを第１の発明のＵＩＭカードを供える携帯型端末として機能させるプログラムを記録した記録媒体である。
【００１９】
第７の発明は、コンピュータを第２の発明の暗号化装置として機能させるプログラムである。
第８の発明は、コンピュータを第２の発明の暗号化装置として機能させるプログラムを記録した記録媒体である。
【００２０】
上述のプログラムをＣＤ−ＲＯＭ等の記録媒体に保持させて流通させてもよいし、このプログラムを通信回線を介して送受することもできる。
【発明の効果】
【００２１】
本発明は、マルチフォーマットのデジタルコンテンツに対応した暗号化・復号化機能をＵＩＭカードに実装し、ダイナミックな利用者の属性情報と関連付けられたコンテンツ、広告の視聴分析機能を実現するコンテンツ配信システム等を提供することができる。
【発明を実施するための最良の形態】
【００２２】
以下に、添付図面を参照しながら、本発明に係るコンテンツ配信システム等の好適な実施形態について詳細に説明する。なお、以下の説明および添付図面において、略同一の機能構成を有する構成要素については、同一の符号を付することにより重複説明を省略することにする。
【００２３】
最初に、図１を参照しながら、本発明による本実施の形態に係るコンテンツ配信システム１００の構成について説明する。図１は、本実施の形態に係るコンテンツ配信システム１００の構成を示すブロック図である。
【００２４】
図１は、コンテンツ配信システムの１例であり、図１に示すように、コンテンツ配信システム１００は、複数のコンテンツサーバ１０１と、暗号化装置１０３と、携帯型端末１０７、その他のコンテンツ受信機器１０８等がネットワーク１０９を介して接続されて構成される。
【００２５】
ネットワーク１０９は、インターネット、ローカルエリアネットワーク（ＬＡＮ）等のネットワークであり、有線、無線を問わない。
【００２６】
コンテンツサーバ１０１は、サーバコンピュータ等であり、例えば、映像、音声等のデジタルコンテンツデータ１１０を配信、管理するサーバである。コンテンツの所有者、又は所有者ヘのサービスプロバイダが、コンテンツサーバ１０１を有する。コンテンツサーバ１０１は、通信手段１４１、契約登録手段１４２等を有する。
【００２７】
通信手段１４１は、コンテンツサーバ１０１と暗号化装置１０３との間の通信を行うものであり、ストリーミング方式（又はダウンロード）により、映像、音楽等のデジタルコンテンツデータを携帯型端末１０７に配信し、また制御データや契約登録情報を受信する。
契約登録手段１４２は、携帯型端末１０７から受け取った契約登録情報等の配信利用要求に応じて、契約登録を行い、契約情報を保持する。デジタルコンテンツデータの配信サービスを受ける旨の契約内容に応じた契約利用情報、契約者の属性情報公開レベルを、通信手段１４１を介して、携帯型端末１０７に送信する。
【００２８】
暗号化装置１０３は、複数のコンテンツサーバ１０３とネットワーク１０９、及び携帯型端末１０７との間に配置し、通信手段１３１、暗号化手段１３２、視聴情報集計手段１３３等を有する。コンテンツサーバ１０１と暗号化装置１０３との間の接続は、外部のネットワーク１０９に公開されておらず、暗号化する必要がない。データチャンネル１１３は、携帯型端末１０７からの各種制御データ、契約登録情報等である。
【００２９】
通信手段１３１は、複数のコンテンツサーバ１０１と複数の携帯型端末１０７の間の通信を行うものであり、コンテンツサーバ１０１からのデジタルコンテンツデータ１１０を受信し、暗号化手段１３１により暗号化された暗号化デジタルコンテンツデータ１１１を送信する。また、携帯型端末１０７からの各種制御データや契約登録情報を受信し、コンテンツサーバ１０１に送信する。
暗号化手段１３２は、個々の異なるデジタルコンテンツデータ１１０のフォーマット、データプロトコルに依存せずに、伝送されるデータを暗号化し、暗号化デジタルコンテンツデータ１１１を生成する。
視聴情報集計手段１３３は、視聴情報データベース３１０に蓄積した視聴情報３２０と、広告情報３３０、コンテンツ情報３４０に基づいて、デジタルコンテンツデータ１１０、及びデジタルコンテンツデータ１１０に掲載した広告の視聴率を算出し、属性情報公開レベルに応じた視聴傾向の分析を行う。
【００３０】
尚、暗号化手段１３２に相当する暗号化／復号化方法については、コンピュータ分野において広く行われている事項であり、本発明で規定するところではない、例えば、特表２００４−５１１９３１号公開には、個々の異なるデジタルコンテンツデータのフォーマット、データプロトコルに依存せずに、伝送されるデータを選択的に暗号化する方法が記載されており、データの第１部分をデータの第２部分から分離するための構文解析手段と、データの第１部分のみを暗号化する暗号化手段と、暗号化されたデータの第１部分と暗号化されていないデータの第２の部分を結合する結合手段とを備える暗号化方法と、携帯型端末側における当該暗号化データを解読するための復号化方法が示されている。
【００３１】
また、暗号化装置１０３は、必要に応じて、付加データハンドラ１０５と接続する。付加データハンドラ１０５は、データチャンネル１１３を用いて、付加データ補正、暗号化適正補正等の品質サービスや、電子商取引、契約や決済等を行う。例えば、携帯型端末１０７の表示部２０６のフレーム縦横比のデータ補正等の品質保証を行うクオリティサービスシステムである。付加データハンドラ１０５により、更に複雑なデータの使用や管理が可能となる。
【００３２】
尚、本実施の形態では、携帯型端末１０７からの契約登録の配信利用要求に対して、契約登録手段１４１を実行しているが、付加データハンドラ１０５において契約登録手段１４１に相当するアプリケーションプログラムを搭載し、実行させてもよい。
【００３３】
携帯型端末１０７は、携帯電話（特に第３世代３ＧＰＰ）であり、本発明で用いる携帯型端末は、ＵＩＭカード２２０を備えた携帯型端末１０７である。ＵＩＭカード２２０は、小型の接触型ＩＣカードである。尚、本発明に使用する「ＵＩＭカード」は、一般的にＵＩＭカード、ＳＩＭカード、ＵＳＩＭカードと称されているものである。
携帯型端末１０７には、利用要求手段１２０、コンテンツ送受信手段１２１を有する。
【００３４】
利用要求手段１２０は、コンテンツサーバ１０１へコンテンツの利用要求を送信し、コンテンツサーバ１０１から受け取ったデジタルコンテンツデータの配信を受ける旨の契約内容に応じた契約利用情報２２９をＵＩＭカード２２０に書き込む
コンテンツ送受信手段１２１は、コンテンツサーバ１０１から配信され、暗号化装置１０３を通して、暗号化された暗号化デジタルコンテンツデータ１１１を受信し、また、デジタルカメラ、マイク等で入力したデジタルコンテンツデータを暗号化し、認証情報２２８を付加した暗号化データを他のコンテンツ受信機器１０８に送信する。
【００３５】
ＵＩＭカード２２０は、認証手段１２２、暗号化・復号化手段１２３、視聴データ測定手段１２４を有する。
【００３６】
認証手段１２２は、予め、記憶した所定の認証情報２２８と、コンテンツサーバ１０１へのデジタルコンテンツデータ１１０の配信サービス利用要求に対して、コンテンツサーバ１０１から受け取ったデジタルコンテンツデータの配信サービスを受ける旨の利用内容に関する契約利用情報２２９と、認証情報２２８に基づき、契約端末の認証を行う。認証情報２２８は、正当使用者／端末を特定するための情報であり、例えば、ＵＩＭカード２２０に記憶された契約者識別情報や、携帯型端末１０７の識別情報等である。
暗号化・復号化手段１２３は、認証手段１２２により認証される場合、受信した暗号化デジタルコンテンツデータを復号化し、また、カメラ２０３、マイク２０７を用いて、入力した映像、音声等の入力データを暗号化し、認証情報２２８を付加した暗号化データを生成する。
視聴データ測定手段１２４は、所定時間間隔に、再生されたデジタルコンテンツの視聴状況を示す視聴データに契約者の属性情報公開レベルを付加して、暗号化装置１０３に送信する。
【００３７】
コンテンツ受信機器１０８は、アナログＴＶやデジタルＴＶの受信機器であるセットトップボックス（ＳＴＢ）、車載案内装置やＧＰＳ等の位置信号受発信機器である車載端末等である。
【００３８】
次に、図２を参照しながら、ＵＩＭカード２２０を備える携帯型端末１０７のハードウェア構成を説明する。図２は、ＵＩＭカード２２０を備える携帯型端末１０７のハードウェア構成図である。本発明に関連した構成要素のみを図示しており、送受話部等の図示は省略してある。
【００３９】
携帯型端末１０７は、制御部２０１、記憶部２０２、カメラ２０３、送受信２０４、入力部２０５、表示部２０６、マイク２０７、ＵＩＭ
Ｉ／Ｆ部２０８、アンテナ２１０等が、接続されて構成される。
【００４０】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００４１】
ＣＰＵは、記憶部２０２、ＲＯＭ、記録媒体等に格納されるプログラムをＲＡＭ上のワークメモリ領域に呼び出して実行し、バス２０９を介して接続された各装置を駆動制御し、携帯型端末１０７が行う後述する各種処理（図８、図９参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００４２】
記憶部２０２は、制御部２０１が実行する制御プログラム、プログラム実行に必要なデータ、ＯＳ（オペレーティングシステム）等が格納される。プログラムに関しては、後述の処理に相当する利用要求手段１２０、コンテンツ送受信手段１２１に相当するアプリケーションプログラム等が格納されている。
これらの各プログラムコードは、制御部２０１により必要に応じて読み出されてＲＡＭに移され、ＣＰＵに読み出されて各種の手段として実行される。
【００４３】
カメラ２０３は、撮像手段に相当し、画像データ、映像データ等を入力、取得する。
【００４４】
送受信部２０４は、携帯型端末１０７とネットワーク１０９間の通信を媒介する通信インタフェースであり、ネットワーク１０９を介して、コンテンツサーバ１０１、暗号化装置１０３、コンテンツ受信機器１０８と、携帯型端末１０７間の通信制御を行う。
【００４５】
入力部２０５は、データの入力を行い、例えば、キーボード、テンキー等の入力装置を有する。
【００４６】
表示部２０６は、ＣＲＴモニタ、液晶パネル等のディスプレイ装置を有する。
マイク２０７は、音声入力手段に相当し、音声データを取得する。
ＵＩＭ Ｉ／Ｆ部２０８は、ＵＩＭカード２２０へのデータの授受を行う。
【００４７】
次に、図２、図３を参照しながら、ＵＩＭカード２２０のハードウェア構成を説明する。図３は、ＵＩＭカード２２０のデータ構造の一態様を示す図である。
ＵＩＭカード２２０は、小型の接触型ＩＣカードであり、ＩＣモジュール端子とリーダ／ライタの端子が接触することで電力供給や通信を行う。ＵＩＭカード２２０は、制御部３０１、記憶部３０２、入出力部３０３等が、接続されて構成される。
【００４８】
制御部３０１は、ＣＰＵ２２１、ＲＯＭ２２２、ＲＡＭ２２３から構成される。
ＣＰＵ２２１は、記憶部３０２、ＲＯＭ等に格納されるプログラムをＲＡＭ上のワークメモリ領域に呼び出して実行し、接続された各装置を駆動制御し、ＵＩＭカード２２０が行う後述する各種処理（図８、図９、図１０参照）を実現する。
ＲＯＭ２２２は、制御プログラム、データ等を恒久的に保持しており、例えば、アプリケーションの追加・削除が可能なプラットフォーム型ＯＳを格納する。
ＲＡＭ２２３は、記憶部３０２、ＲＯＭ等からロードしたプログラム、データ等を一時的に保持するとともに、制御部３０１が各処理を行う為に使用するワークエリアを備える。
【００４９】
記憶部３０２は、ＥＥＰＲＯＭ２２４（Ｅｌｅｃｔｒｉｃａｌｌｙ  Ｅｒａｓａｂｌｅ  Ｐｒｏｇｒａｍｍａｂｌｅ  ＲＯＭ）からなる。ＥＥＰＲＯＭ２２４は、電気的に消去して書き換えできるＲＯＭであり、電源を切ってもデータは消えない。ＥＥＰＲＯＭ２２４には、プラットフォーム型ＯＳに対応したアプリケーション２２５を複数搭載可能とする。アプリケーション２２５として、契約端末の認証を行う認証手段１２２に相当する認証アプリケーションプログラム２２６、デジタルコンテンツデータの暗号化／復号化を行う暗号化・復号化手段１２３に相当する暗号化・復号化アプリケーションプログラム２２７、視聴データ測定アプリケーションプログラム２３１、及び正当使用者／端末を特定するための認証情報２２８（例えば、契約者識別情報等）、契約情報に応じて、利用期間、受信許可等を表す契約利用情報２２９、契約者（個人）の属性情報公開レベル２３０を格納する。
【００５０】
入出力手段３０２は、携帯型端末本体１０７のＵＩＭ Ｉ／Ｆ部２０８との間でデータの送受信を行う。
【００５１】
尚、ＵＩＭカード２２０のデータ構造は、この構成に限られるものではない。
【００５２】
次に、契約者（個人）に関する属性情報公開レベル２３０について説明する。
図４は、契約者（個人）の属性情報公開レベル２３０の一態様を示す図である。
図４に示すように、例えば、音楽ダウンロードサービスを利用する場合とＴＶ映像ストリーミング配信サービスを利用する場合で公開レベルが事前の契約で決まっている場合、契約者（個人）の属性情報公開レベル２３０は、配信サービスに応じた契約者（個人）の属性情報１０の公開範囲の属性情報である。例えば、携帯型端末１０７から契約登録に伴い入力された契約者（個人）の属性情報１０は、「氏名」、「年令」、「住所」、「趣味」、「家族構成」、「収入」等の情報を有する。音楽ダウンロードサービスを利用する場合、契約者の属性情報公開レベル２３０ａ：階層ａの「氏名」、「年令」、「住所」等の属性情報を公開し、ＴＶ映像ストリーミング配信サービスを利用する場合、契約者の属性情報公開レベル２３０ｂ：階層ｂの「氏名」、「年令」、「住所」、「趣味」、「家族構成」等の属性情報を公開する。
【００５３】
個人に関する諸情報、（１）個人情報、（２）個人開示情報、（３）発生情報、（４）リスク情報は、総称して「個人信用情報」となるものであるが、（３）発生情報、（４）リスク情報は個人から開示されるものではなく、公的または取引経過で得られる情報であって、例えばクレジットカードの与信情報として公的機関が認めた情報提供機関の承認があれば、取引者／サービス提供者は、取引安全の為に使用できる。
従って、本発明では、（１）個人情報、（２）個人開示情報（総称して個人属性情報）を階層化してＵＩＭカード２２０またはコンテンツサーバ１０１側に記憶し、個人と取引者／サービス提供者との個々の契約にてその公開レベルを特定し、その結果、得られる個人属性情報（１）、（２）の公開（開示）レベルとコンテンツ特性、時間、場所、或いは携帯型端末１０７によるアンケート結果、購買履歴を併せ持つ詳細な視聴率調査、広告効果測定を実現する。
【００５４】
本発明においては、特徴点として、個人の合意に基づき、個人と取引者／サービス提供者との個々の契約にてその公開（開示）レベルを特定している。個人が提供した個人属性情報が取引者／サービス提供者によってどの様に加工され、利用されるかを確認し、その上で得られる利点（個人の趣味嗜好に応じた詳細製品・サービス情報等）は認識して個人が契約した公開（開示）レベルによる。
【００５５】
図１３は、契約に基づいて階層化した個人信用情報を示す図である。
図１３に示すように、例えば、音楽ダウンロードサービスの新譜版音楽の視聴や、新作映画のプレビューについては、Ｘ社と階層Ｂのアドレス２１「０００１」、「０００２」の個人情報２２の公開契約を結び、一方、Ｙ社とは、階層Ｃのアドレス２１「０００１」、「０００２」、「０００３」の個人情報２２の公開契約を結ぶ。その結果、Ｙ社はＸ社よりも、より正確な、アドレス２１「０００３」の個人情報２２（趣味嗜好、家族構成）を含む、視聴、プレビューの視聴率結果、アンケート結果、更にオンラインコンテンツ販売に繁がったサービスで購買結果と結合させた広告・販促効果測定が可能となる。
【００５６】
次に、図５を参照しながら、暗号化装置１０３のハードウェア構成を説明する。図５は、暗号化装置１０３のハードウェア構成図である。
【００５７】
暗号化装置１０３は、制御部４０１、記憶部４０２、通信制御部４０３等が、システムバス４０９を介して接続されて構成される。尚、本発明に関連した構成要素のみを図示する。
【００５８】
制御部４０１は、ＣＰＵ、ＲＯＭ、ＲＡＭで構成される。
ＣＰＵは、記憶部４０２、ＲＯＭ、記録媒体等に格納されるプログラムをＲＡＭ上のワークメモリ領域に呼び出して実行し、システムバスを介して接続された各装置を駆動制御し、暗号化装置１０３が行う通信手段１３１、暗号化手段１３２に相当する処理、及び視聴情報集計手段１３３に相当する後述する処理（図１２参照）を実現する。
【００５９】
記憶部４０２は、ＨＤＤ（ハードディスクドライブ）であり、制御部４０１が実行するプログラム、プログラム実行に必要なデータ、ＯＳ（オペレーティングシステム）等が格納される。プログラムに関しては、ＯＳ（オペレーティングシステム）に相当する制御プログラム３９３や、本コンピュータを適用する暗号化装置１０３が行う視聴情報集計プログラム３９１、暗号化プログラム３９２等のアプリケーションプログラムが格納されている。
【００６０】
通信制御部４０３は、通信制御装置、通信ポート等を有し、サーバ１０１とネットワーク１０９間の通信を媒介する通信インタフェースであり、ネットワーク１０９を介して、サーバ１０１と、携帯型端末１０７間の通信制御を行う。
【００６１】
システムバス４０９は、各装置間の制御信号、データ信号等の授受を媒介する経路である。
【００６２】
次に、図６を参照しながら、暗号化装置１０３の記憶部４０２が保持する情報について説明する。図６は、暗号化装置１０３の記憶部４０２が保持する情報を示す図である。
【００６３】
記憶装置４０２内には、視聴情報データベース３１０、及び視聴情報集計プログラム３９１、暗号化プログラム３９２等のアプリケーションプログラム、制御プログラム３９３が格納されている。
【００６４】
図７は、視聴情報データベース３１０のデータ構成を示す図である。
図７に示すように、視聴情報データベース３１０は、複数の視聴情報３２０、複数の広告情報３３０、複数のコンテンツ情報３４０、複数の広告視聴率情報３５０等からなる。
【００６５】
視聴情報３２０は、携帯型端末１０７から受信し、蓄積した視聴データ２４０であり、端末識別情報３２１、時間情報３２２、視聴状況情報３２３、契約者の属性情報公開レベル３２４等を有する。端末識別情報３２１は視聴データ２４０を送信した携帯型端末１０７の識別情報であり、認証情報２２６を用いてもよい。時間情報３２２は、視聴情報を測定した時刻データである。視聴状況情報３２３はデジタルコンテンツデータ１１０を視聴しているか否かを示すＯＮ／ＯＦＦフラグ情報である。契約者の属性情報公開レベル３２４は、配信サービスに応じた契約者の属性情報の公開範囲の属性情報である。
広告情報３３０は、デジタルコンテンツデータ１１０内に掲載する広告の管理情報であり、広告識別情報３３１、広告配信時間情報３３２、コンテンツ識別情報３４１等を有する。
コンテンツ情報３４０は、コンテンツの管理情報であり、コンテンツ識別情報３４１、コンテンツ配信時間情報３４２等を有する。例えば、コンテンツは試聴・試写コンテンツである。
広告視聴率情報３５０には、視聴情報集計手段１３３により算出、集計された広告毎の視聴率集計結果である。
【００６６】
尚、視聴情報データベース３１０のデータ構成は、この構成に限られるわけではない。
【００６７】
視聴情報集計プログラム３９１は、視聴情報集計手段１３３に相当する実行可能プログラムである。
暗号化プログラム３９２は、暗号化手段１３２に相当する実行可能プログラムである。
制御プログラム３９３は、暗号化装置１０３であるコンピュータの各構成部分を駆動制御するプログラムである。
【００６８】
次に、図８乃至図１２を参照しながら、コンテンツ配信システム１００について説明する。
【００６９】
携帯型端末１０７の記憶部２０２には、制御プログラム、利用要求手段１２０、コンテンツ送受信手段１２１等に該当する実行プログラムが格納されている。以下の携帯型端末１０７の処理は、これら実行プログラムの制御に従って、携帯型端末１０７の制御部２０１によって行われる。
ＵＩＭカード２２０のＲＯＭ、記憶部３０２には、制御プログラム、認証手段１２２、暗号化・復号化手段１２３等に該当する実行プログラムが格納されている。以下のＵＩＭカード２２０の処理は、これら実行プログラムの制御に従って、ＵＩＭカード２２０の制御部３０１によって行われる。
【００７０】
まず、図８を参照しながら、携帯型端末１０７からコンテンツサーバ１０１への利用要求処理及びコンテンツサーバ１０１の契約登録処理について説明する。図８は、利用要求及び契約登録処理の処理動作を示すフローチャートである。
【００７１】
携帯型端末１０７の制御部２０１は、コンテンツサーバ１０１にデジタルコンテンツデータの配信サービスを受ける旨の契約登録の利用要求を、認証情報２２８と共に送信する（ステップＳ８０１）。利用要求は、運用形態や契約内容に応じた頻度（例えば、視聴毎、月１回等）で行う。
【００７２】
コンテンツサーバ１０１の制御部は、携帯型端末１０７からの利用要求に伴う受け取った情報に応じた契約情報を保持し（ステップＳ８０２）、契約情報に応じて、利用期間、受信許可等を表す契約利用情報２２９、及び配信サービスに応じた契約者の属性情報公開レベル２３０を携帯型端末１０７に送信する（ステップＳ８０３）。
【００７３】
携帯型端末１０７の制御部２０１は、受け取った契約利用情報２２９、契約者の属性情報公開レベル２３０をＵＩＭカード２２０に送る（ステップＳ８０４）。
ＵＩＭカード２２０の制御部３０１は、受け取った契約利用情報２２９、契約者の属性情報公開レベル２３０を記憶部３０２に書き込み、保持する（ステップＳ８０５）。
【００７４】
次に、図９を参照しながら、コンテンツサーバ１０１から、暗号化装置１０３を介して、携帯型端末１０７にデジタルコンテンツデータ１１０を配信する処理について説明する。図９は、デジタルコンテンツデータ１１０の配信処理の処理動作を示すフローチャートである。
【００７５】
コンテンツサーバ１０１の制御部は、映像、音声等のデジタルコンテンツデータ１１０を配信する（ステップＳ９０１）。例えば、ストリーミング方式を用いて、デジタルコンテンツデータ（ストリーミングデータ）を配信する。
【００７６】
暗号化装置１０３の制御部は、各コンテンツサーバ１０１からの受け取った個々に異なったフォーマットのデジタルコンテンツデータ１１０を暗号化し、暗号化された暗号化デジタルコンテンツデータ１１１を送出する（ステップＳ９０２）。この際、更に、付加データハンドラ１０５により、データチャンネル１１３を用いて、例えば、付加データ補正、暗号化適正補正等の品質サービスを行うことが可能である。
【００７７】
携帯型端末１０７の制御部２０１は、暗号化デジタルコンテンツデータ１１１を受信する（ステップＳ９０３）。
制御部２０１は、ＵＩＭカード２２０内の認証手段１２２に相当する認証アプリケーションを用いて契約端末の認証判定を行う。ＵＩＭカード２２０の制御部３０１は、契約登録時に設定された利用期間、受信許可等を示す契約利用情報２２９及び正当使用者／端末を特定するための認証情報２２８に基づいて、認証を行う（ステップＳ９０４）。制御部３０１は、認証結果を携帯型端末１０７本体に返す。
【００７８】
認証された場合（ステップＳ９０５のＹｅｓ）、携帯型端末１０７の制御部２０１は、ＵＩＭカード２２０に受信した暗号化デジタルコンテンツデータ１１１を送り（ステップＳ９０６）、ＵＩＭカード２２０の制御部３０１は、暗号化・復号化手段１２３に相当する暗号化・復号化アプリケーションを用いて、受け取った暗号化デジタルコンテンツデータ１１１を復号化する（ステップＳ９０７）。
ＵＩＭカード２２０の制御部３０１は、解凍したデジタツコンテンツデータ１１０を携帯型端末１０７本体に送る（ステップＳ９０８）。
制御部３０１は、視聴データ測定プログラム３９２を起動し（ステップＳ９０９）、携帯型端末１０７の制御部２０１は、解凍したデジタツコンテンツデータ１１０を再生する（ステップＳ９１０）。
【００７９】
認証されない場合（ステップＳ９０５のＮｏ）は、携帯型端末１０７の制御部２０１は、受信した暗号化デジタルコンテンツデータ１１１を解凍しない。このように、全ての携帯型端末１０７に暗号化デジタルコンテンツデータ１１１が配信されるが、契約端末の認証がなされた場合のみ、受信した暗号化デジタルコンテンツデータ１１１を解凍し、再生する。
【００８０】
尚、暗号化・復号手段１２３に相当する暗号化／復号方法については、前述した暗号化手段１３１同様にコンピュータ分野において広く行われている事項であり、本発明で規定するところではない、例えば、特表２００４−５１１９３１号公開には、伝送されるデータを選択的に暗号化する方法が記載されている。
【００８１】
次に、ステップＳ９０９で起動する視聴データ測定手段１２４に相当する視聴データ測定処理の処理動作を説明する。図１０は、携帯型端末１０７のＵＩＭカード２２０の視聴データ測定処理の処理動作を示すフローチャートである。
ＵＩＭカード２２０の制御部３０１は、デジタルコンテンツデータ１１０の受信処理、再生処理と並列に視聴データ測定処理を行うものとする。
【００８２】
ＵＩＭカード２２０の制御部３０１は、契約者／端末の識別情報である認証情報２２６を視聴データ２４０に設定する（ステップＳ１００１）。
【００８３】
図１１は、視聴データ２４０の一態様を示す図である。
図１１に示すように、視聴データ２４０は、ヘッダ部２４１、端末識別情報２４２、時間情報２４３、視聴状況情報２４４、契約者の属性情報公開レベル２３０等からなる。
ヘッダ部２４１は、視聴データを表す制御コードを格納する。
端末識別情報２４２は、視聴データ２４０の発信元の携帯型端末１０７の識別情報である。
時間情報２４３は、測定時の時刻データである。
視聴状況情報２４４は、デジタルコンテンツデータ１１０を視聴しているか否かを示すＯＮ／ＯＦＦフラグ情報である。
契約者の属性情報公開レベル２３０は、配信サービスに応じた契約者の属性情報の公開範囲の属性情報である。
尚、視聴率データ２４０のデータ構成は、この構成に限られるわけではない。
【００８４】
ＵＩＭカード２２０の制御部３０１は、現在の時刻を視聴データ２４０の時間情報２４３に設定する（ステップＳ１００２）。
制御部３０１は、コンテンツを視聴しているか否かの視聴状況（ＯＮ／ＯＦＦ）を視聴データ２４０の視聴状況情報２４４に設定する（ステップＳ１００３）。
制御部３０１は、契約者の属性情報公開レベル２３０を視聴データ２４０の視聴状況情報２４４に設定する（ステップＳ１００４）。
制御部３０１は、暗号化装置１０３に、携帯型端末１０７本体を介して、視聴データ２４０を送信する（ステップＳ１００５）。
【００８５】
制御部３０１は、所定時間間隔（例えば、１／１０秒間隔）で視聴データ測定処理を起動するために、タイマ値に所定時間を設定して、タイマを起動し（ステップＳ１００６）、休止状態に入る（ステップＳ１００７）。
制御部３０１は、所定時間経過後、タイマのタイムアウト通知（ステップＳ１００８）により、ステップＳ１００２に移行し、次の視聴データ２４０の測定、送信処理を行う。以降、ステップＳ１００２からステップＳ１００８の処理を繰り返す。
尚、視聴データ測定処理は、デジタルコンテンツデータの受信終了、又は認証されない場合、視聴データ測定処理を終了する。
【００８６】
また、携帯型端末１０７の制御部２０１は、カメラ２０３を用いて、映像データ／画像データを、また、マイク２０７から音声データを入力し、入力データであるデジタルコンテンツデータ１１０を取得し、ＵＩＭカード２２０の制御部３０１は、取得した入力データであるデジタルコンテンツデータ１１０を暗号化し、生成した暗号化デジタルコンテンツデータ１１１を記憶部２０２等に保持し、他の携帯型端末１０７やコンテンツ受信機器１０８に送信する。
暗号化データには、正当使用者／端末を特定するための認証情報２２６（例えば契約者識別情報）を挿入しており、例えば、不正にライブ等が撮影され、暗号化データをネットワーク１０９に流通した場合でも、契約者識別情報を基に、ネットワーク１０９上でメディアコンテンツの追跡を可能とし、盗用源を見つけ出し特定する。同様に、配信された暗号化デジタルコンテンツデータ１１１に対しても、不正に配信した場合、ネットワーク１０９上でメディアコンテンツの追跡を可能とし、盗用源を見つけ出し特定可能とする。
【００８７】
次に、図１２を参照しながら、暗号化装置１０３における視聴情報集計手段１３３に相当する視聴情報集計処理の処理動作を説明する。図１２は、暗号化装置１０３の視聴率集計処理の処理手順を示すフローチャートである。
【００８８】
暗号化装置１０３の記憶部４０２には、通信手段１３１、暗号化手段１３２、視聴情報集計手段１３３等に該当する実行可能プログラムが格納されている。以下の暗号化装置１０３の処理は、この実行可能プログラムの制御に従って、暗号化装置１０３の制御部４０１によって行われる。
【００８９】
暗号化装置１０３の制御部４０１は、通信手段１３１により、携帯型端末１０７から受信した視聴データ２４０を視聴情報データベース３１０の視聴情報３２０に記憶する（ステップＳ１２０１）。例えば、制御部４０１は、携帯型端末１０７からデータを受信すると、ヘッダ部２４１を判定し、視聴データの場合、視聴情報データベース３１０に蓄積する。
【００９０】
視聴率集計は、例えば、コンテンツサーバ１０１からの視聴率集計要求や所定期間毎（月１回等）に、必要に応じて行う。制御部４０１は、集計対象となる広告情報３３０の条件（広告識別情報３３１、広告配信時間情報３３２、コンテンツ識別情報３３３等の少なくともいずれか１つ）、又はコンテンツ情報３４０（コンテンツ識別情報３４１、コンテンツ配信時間情報３４２等の少なくともいずれか１つ）に一致した視聴情報３２０を抽出する（ステップＳ１２０２）。
制御部４０１は、抽出された視聴情報３２０の視聴状況情報３２３、契約者の属性情報公開レベル３２４を基に、当該広告／コンテンツの視聴率を算出し、視聴傾向を分析する（ステップＳ１２０３）。
制御部４０１は、算出された視聴率、視聴傾向、集計結果、当該広告情報３３０等を視聴率集計情報３５０に記憶する（ステップＳ１２０４）。
制御部４０１は、当該広告情報３３０／コンテンツ情報３４０のコンテンツ識別情報３４１に該当するコンテンツサーバ１０１に当該視聴率集計情報３４０を送信する（ステップＳ１２０５）。
【００９１】
尚、本実施の形態では、データベースに広告／コンテンツの識別情報、配信時間情報等を広告情報／コンテンツ情報として予め記憶しておき、視聴データの時間情報と広告情報／コンテンツ情報の要素をマッチングさせて視聴率を算出するが、この手法に限られるわけではない。
また、本実施の形態では、暗号化装置１０３は、視聴情報集計プログラム３９２を有し視聴率集計処理を実行しているが、これに限るわけではなく、例えば暗号化装置１０３に接続する付加データハンドラ１０５に視聴情報集計プログラムを搭載し、実行してもよい。
【００９２】
以上説明したように、本発明の実施の形態によれば、携帯型端末１０７は、予め、正当使用者／端末を特定するための認証情報２２８をＵＩＭカード２２０に記憶し、コンテンツサーバ１０１へ利用要求に対する、コンテンツサーバから受け取ったデジタルコンテンツデータの配信を受ける旨の契約内容に応じた契約利用情報２２９、契約者の属性情報公開レベル２３０をＵＩＭカード２２０に書き込む利用要求手段１２０と、コンテンツサーバ１０１から配信され、暗号化装置１０３を介して、暗号化されたデジタルコンテンツデータを受信する受信手段１２１を備え、ＵＩＭカード２２０は、契約利用情報２２９と認証情報２２８に基づき、契約端末の認証を行う認証手段１２２と、コンテンツサーバ１０１から受信した暗号化されたデジタルコンテンツデータを復号化する暗号化・復号化手段１２３と、所定時間間隔で、デジタルコンテンツデータの視聴状況を示す視聴データ２４０に契約者の属性情報公開レベル２３０を付加して暗号化装置１０３に送信する視聴情報測定手段１２４と、を備え、暗号化装置１０３は、各コンテンツサーバ１０１からの配信される異種のデジタルコンテンツデータ１１０を暗号化する暗号化手段１３２と、各携帯型端末から受信した視聴情報を蓄積し、視聴情報及び契約者の属性情報公開レベルに基づいて、デジタルコンテンツデータ、デジタルコンテンツデータと共に配信する広告に関する視聴率を算出し、視聴傾向を分析する視聴情報集計手段１３３とを備え、配信されるデジタルコンテンツ、及びその掲載広告の視聴調査を行う。
【００９３】
これにより、ネットワークを通じて映像や音声などのマルチメディアのコンテンツ配信において、コンテンツ（例えば試写・試聴コンテンツ）や掲載する広告の視聴状況、視聴傾向が提供でき、有効且つリアルタイムな視聴率調査が可能となり、広告効果を高めることができる。
また、暗号化装置１０３で視聴率集計処理を実行することにより、既存のシステム構成で視聴率調査を行うことを可能とし、新たに、受信機器からの視聴データを収集、集計する視聴率集計装置を設置する必要がなく、視聴率調査にかかるコスト負荷が軽減される。
更に、個人の合意に基づき、個人と取引者／サービス提供者との個々の契約にてその公開（開示）レベルを特定することにより、視聴、プレビューの視聴率結果、アンケート結果、更にオンラインコンテンツ販売に繁がったサービスで購買結果と結合させた広告・販促効果測定が可能となる。
【００９４】
尚、本実施の形態では、データベースに広告／コンテンツの識別情報、配信時間情報等を広告情報／コンテンツ情報として予め記憶しておき、視聴データの時間情報と広告情報／コンテンツ情報の要素をマッチングさせて視聴率を算出するが、この手法に限られるわけではない。
また、本実施の形態では、暗号化装置１０３は、視聴情報集計プログラム３９２を有し視聴率集計処理を実行しているが、これに限るわけではなく、例えば暗号化装置１０３に接続する付加データハンドラ１０５に視聴情報集計プログラムを搭載し、実行してもよい。
また、本実施の形態では、視聴情報測定手段１２４に相当する実行可能プログラムをＵＩＭカードに記憶しているが、これに限らない。例えば、メモリカード、記憶部２０２に格納し、実行してもよい。
【００９５】
尚、図８、図９、図、１０、図１２に示す処理を行うプログラムはＣＤ−ＲＯＭ等の記録媒体に保持させて流通させてもよいし、このプログラムを通信回線を介して送受することもできる。
【００９６】
以上、添付図面を参照しながら、本発明に係るコンテンツ配信システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００９７】
【図１】本実施の形態に係るコンテンツ配信システム１００の構成を示すブロック図
【図２】ＵＩＭカード２２０を備える携帯型端末１０７のハードウェア構成図
【図３】ＵＩＭカード２２０のデータ構造の一態様を示す図
【図４】契約者の属性情報公開レベル２３０の一態様を示す図
【図５】暗号化装置１０３のハードウェア構成図
【図６】暗号化装置１０３の記憶部４０２が保持する情報を示す図
【図７】視聴情報データベース３１０のデータ構成を示す図
【図８】利用要求及び契約登録処理の処理動作を示すフローチャート
【図９】デジタルコンテンツデータ１１０の配信処理の処理動作を示すフローチャート
【図１０】携帯型端末１０７のＵＩＭカード２２０の視聴データ測定処理の処理動作を示すフローチャート
【図１１】視聴データ２４０の一態様を示す図
【図１２】暗号化装置１０３の視聴率集計処理の処理手順を示すフローチャート
【図１３】契約に基づいて階層化した個人信用情報を示す図
【符号の説明】
【００９８】
１００………コンテンツ配信システム
１０１………コンテンツサーバ
１０３………暗号化装置
１０５………付加データハンドラ
１０７………携帯型端末
１０８………コンテンツ受信機器
１０９………ネットワーク
１１０………デジタルコンテンツデータ
１１１………暗号化デジタルコンテンツデータ
１１３………データチャンネル
１２０………利用要求手段
１２１………コンテンツ送受信手段
１２２………認証手段
１２３………暗号化・復号化手段
１２４………試聴データ測定手段
１３１、１４１………通信手段
１３２………暗号化手段
１３３………視聴情報集計手段
１４２………契約登録手段
２０１、３０１、４０１………制御部
２０２、３０２、４０２………記憶部
２０８………ＵＩＭ Ｉ／Ｆ部
２２０………ＵＩＭカード
２２８………認証情報
２２９………契約利用情報
２３０、３２４………契約者の属性情報公開レベル
３０３………入出力部
２４０………視聴データ
２４１………ヘッダ部
２４２………端末識別情報
２４３………時間情報
２４４、３２３………視聴状況情報
３１０………視聴情報データベース
３２０………視聴情報
３２１………端末識別情報
３２２………時間情報
３３０………広告情報
３３１………広告識別情報
３３２………広告配信時間情報
３４０………コンテンツ情報
３４１………コンテンツ識別情報
３４２………コンテンツ配信時間情報
３５０………視聴率集計情報
３９１………視聴情報集計プログラム
３９２………暗号化プログラム
【図１】
2007202054.tif 000003
【図２】
2007202054.tif 000004
【図３】
2007202054.tif 000005
【図４】
2007202054.tif 000006
【図５】
2007202054.tif 000007
【図６】
2007202054.tif 000008
【図７】
2007202054.tif 000009
【図８】
2007202054.tif 000010
【図９】
2007202054.tif 000011
【図１０】
2007202054.tif 000012
【図１１】
2007202054.tif 000013
【図１２】
2007202054.tif 000014
【図１３】
2007202054.tif 000015